(57)【要約】【課題】電子ペンの紛失や損傷を抑制すると共に、使用シーンが広がり、使い勝手が良好な電子ペンのためのペンケースを提供する。【解決手段】電子ペン１０を収納するペンケース１であって、設置面に設置される下ケース３と、下ケース３に対して開閉自在にヒンジ連結される上ケース２とを備え、上ケース２は、上ケース２に電子ペン１０を載置した閉動作時において、電子ペン１０を支持する支持部２３ａ，２３ｂを有し、支持部２３ａ，２３ｂは、電子ペン１０を下ケース３に載置した上ケース２の閉動作時において、上ケース２の回転により、電子ペン１０と係合するように構成されている。【選択図】図４
2013109562.tif 000002
【特許請求の範囲】
【請求項１】
電子ペンを収納するペンケースであって、
設置面に設置される第１蓋体と、当該第１蓋体に対して開閉自在にヒンジ連結される第２蓋体とを備え、
前記第２蓋体は、当該第２蓋体に前記電子ペンを載置した閉動作時において、前記電子ペンを支持する支持部を有し、
前記支持部は、前記電子ペンを前記第１蓋体に載置した前記第２蓋体の閉動作時において、前記第２蓋体の回転により、前記電子ペンと係合するように構成されていることを特徴とするペンケース。
【請求項２】
請求項１に記載のペンケースであって、
前記第１蓋体は、
前記電子ペンの前記ヒンジ連結側への移動を規制する第１規制部と、
前記電子ペンの前記ヒンジ連結側とは反対側への移動を規制する第２規制部と、
を有し、
前記支持部は、前記第１蓋体に前記電子ペンを載置した前記第２蓋体の閉動作時において、前記電子ペンを前記ヒンジ連結側から前記第２規制部側へ押圧可能に形成されていることを特徴とするペンケース。
【請求項３】
請求項２に記載のペンケースであって、
前記第２規制部は、前記支持部に押圧された前記電子ペンの移動を案内する案内面を有していることを特徴とするペンケース。
【請求項４】
請求項１〜請求項３のいずれか一項に記載のペンケースであって、
前記支持部は、弾性を有していることを特徴とするペンケース。
【発明の詳細な説明】
【技術分野】
【０００１】
本発明は、電子ペンを収納するペンケースに関する。
【背景技術】
【０００２】
従来、プレゼンテーション等に利用される表示装置において、筆記具を模した操作ペンを用いて様々な表示が可能なシステムが知られている。
例えば、プロジェクターにより投影される画像に対して、図形や文字等を重ねて表示できるように、ホワイトボード等の画像の投写面に模式的に筆記することによって赤外線を発する操作ペン（電子ペン、例えば、特許文献１参照）を備えたシステムが知られている。
このような電子ペンを備えたシステムは、電子ペンから射出される赤外線を、例えば、プロジェクターが検知する。そして、プロジェクターが元の画像情報に赤外線の射出位置の軌跡に関する情報を重ねて投写することによって、投写面には、画像情報に電子ペンの軌跡が重なった重畳画像が投写される。
【０００３】
また、表示装置の表示面にタッチすることにより情報を入力する操作ペン（タッチペン）を備えた表示装置（情報表示装置）が知られている（例えば、特許文献２参照）。
特許文献２の表示装置は、タッチペンを収納するペンホルダーが表示装置の画面周縁部に設けられている。
【先行技術文献】
【特許文献】
【０００４】
【特許文献１】特開２０１１−５９７６８号公報
【特許文献２】特開２００９−２０８３２号公報
【発明の概要】
【発明が解決しようとする課題】
【０００５】
しかしながら、特許文献１には、電子ペンを収納する手段の記載が無く、この手段が無いと、電子ペンを紛失したり、電子ペンを誤って損傷させたりする虞が増大する。また、特許文献２に記載の技術をプロジェクターに用いると、プロジェクターが天井等に設置された場合、収納された電子ペンの取り出し、および電子ペンの収納が困難になるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るペンケースは、電子ペンを収納するペンケースであって、設置面に設置される第１蓋体と、当該第１蓋体に対して開閉自在にヒンジ連結される第２蓋体とを備え、前記第２蓋体は、当該第２蓋体に前記電子ペンを載置した閉動作時において、前記電子ペンを支持する支持部を有し、前記支持部は、前記電子ペンを前記第１蓋体に載置した前記第２蓋体の閉動作時において、前記第２蓋体の回転により、前記電子ペンと係合するように構成されていることを特徴とする。
【０００８】
本適用例によれば、ペンケースは、設置面に設置される第１蓋体、および第１蓋体に対して開閉自在にヒンジ連結される第２蓋体を備え、第２蓋体には、電子ペンと係合可能な支持部が設けられている。そして、支持部は、電子ペンが第２蓋体に配置された場合、閉動作時において、電子ペンを支持し、電子ペンが第１蓋体に配置された場合、第２蓋体の閉動作時において、電子ペンと係合するように構成されている。
これによって、ペンケースは、第２蓋体または第１蓋体のどちらに電子ペンが配置されても、開閉が可能で、電子ペンを略位置決めしての収納が可能となる。よって、電子ペンの紛失や損傷を抑制すると共に、電子ペンの使用シーンに応じて電子ペンを収納できるペンケースの提供が可能となる。
例えば、電子ペンを用いてプロジェクターが投写する画像に処理を施すことが可能なシステムにおいて、投写面や投写面に近い位置にペンケースを配置して、プレゼンテーション等を途切れさせることなく、電子ペンの迅速な使用および収納が可能となる。具体的に、プロジェクターが壁に沿う投写面やホワイトボード等に投写する場合、この壁やホワイトボードに第１蓋体を設置したり、投写面に近い机上等に第１蓋体を設置したりすることで、前者については、電子ペンを第２蓋体に配置し、後者については電子ペンを第１蓋体に配置して、ペンケースの開閉が可能となる。
したがって、電子ペンの紛失や損傷を抑制すると共に、利便性を高めて電子ペンを使用するためのペンケースが可能となる。
【０００９】
［適用例２］上記適用例に記載のペンケースにおいて、前記第１蓋体は、前記電子ペンの前記ヒンジ連結側への移動を規制する第１規制部と、前記電子ペンの前記ヒンジ連結側とは反対側への移動を規制する第２規制部と、を有し、前記支持部は、前記第１蓋体に前記電子ペンを載置した前記第２蓋体の閉動作時において、前記電子ペンを前記ヒンジ連結側から前記第２規制部側へ押圧可能に形成されていることが好ましい。
【００１０】
本適用例によれば、第１蓋体に配置された電子ペンは、第１規制部によってヒンジ連結側への移動が規制され、第２規制部によってヒンジ連結側とは反対側への移動が規制されている。これによって、第２蓋体の閉じられる方向への回転によって、支持部が電子ペンをヒンジ連結側から第２規制部側に押圧して電子ペンを第２規制部に当接させ、支持部を電子ペンに係合させることが可能となる。
よって、部品点数の増加を抑制して簡素な構成で、支持部を電子ペンに係合させることが可能となる。したがって、ペンケースの製造の簡素化や低コスト化、アフターサービスパーツの在庫管理の簡素化等が図れる。
【００１１】
［適用例３］上記適用例に係るペンケースにおいて、前記第２規制部は、前記支持部に押圧された前記電子ペンの移動を案内する案内面を有していることが好ましい。
【００１２】
本適用例によれば、案内面は、支持部に押圧された電子ペンの移動を案内するように形成されているので、押圧された電子ペンは、案内面に沿って移動することとなる。また、移動した電子ペンは、支持部の押圧力が解除されると、自重によって案内面に沿って逆方向に移動することとなる。つまり、第２蓋体の閉じられる方向の回転によって、支持部と電子ペンとを係合させ、第２蓋体の開かれる方向の回転によって、その係合を解除するように構成することが可能となる。よって、第１蓋体に配置された電子ペンに、第２蓋体の開閉によって、支持部が係合する状態とその係合が解除される状態とを滑らかに切り替えることが可能となる。
【００１３】
［適用例４］上記適用例に係るペンケースにおいて、前記支持部は、弾性を有していることが好ましい。
【００１４】
本適用例によれば、支持部は、弾性を有しているので、第２蓋体の開閉によって第１蓋体に配置された電子ペンへの係合とその解除とを切り替える構成を容易に設定することが可能となる。つまり、ペンケースを構成する部材の寸法バラツキや、組立によるバラツキが生じても支持部が有する弾性によってそのバラツキを吸収できるので、安定して電子ペンへの係合とその解除とを切り替えることが可能となる。
【図面の簡単な説明】
【００１５】
【図１】本実施形態における閉じられた状態のペンケースを示す斜視図。
【図２】本実施形態における開かれた状態のペンケースおよび電子ペンを示す斜視図。
【図３】本実施形態における開かれた状態のペンケースを示す斜視図。
【図４】本実施形態における電子ペンが収納された状態のペンケースの断面図。
【図５】本実施形態の縦置き設置における開放状態のペンケースを示す断面図。
【図６】本実施形態の横置き設置における開放状態のペンケースを示す断面図。
【図７】本実施形態の横置き設置におけるペンケースの開閉動作を説明する断面図。
【図８】本実施形態の横置き設置におけるペンケースの開閉動作を説明する断面図。
【発明を実施するための形態】
【００１６】
以下、本実施形態に係るペンケースについて、図面を参照して説明する。
本実施形態のペンケースは、プロジェクターにより投影される画像に対して、図形や文字等を重ねて表示させたりするために用いられる電子ペンを収納するように構成されている。
本実施形態のペンケースは、室内の壁面に沿う方向の設置面への設置（以下「縦置き設置」という）、および床に沿う方向の設置面への設置（以下「横置き設置」という）ができるように構成されている。また、本実施形態のペンケースは、縦置き設置、横置き設置以外で使用者が把持する姿勢でも、電子ペンの収納および取り出しが容易にできるように形成されている。
【００１７】
本実施形態のペンケースは、開閉自在にヒンジ連結される第２蓋体、および第１蓋体を備え、２つの電子ペンを収納できるように構成されている。
図１は、閉じられた状態のペンケース１を示す斜視図であり、（ａ）は、第２蓋体としての上ケース２側から見た図、（ｂ）は、第１蓋体としての下ケース３側から見た図である。図２は、開かれた状態のペンケース１、および上ケース２あるいは下ケース３に載置された電子ペン１０を示す斜視図であり、（ａ）は、縦置き設置の状態を示す図、（ｂ）は、横置き設置の状態を示す図である。
【００１８】
後で詳細に説明するが、下ケース３は、他の部材に固定可能に構成されている。そして、ペンケース１は、下ケース３が壁面やホワイトボードの筆記可能な面等の設置面に固定されると縦置き設置の状態となり、下ケース３が机上等の設置面に固定されたり、載置されたりすると横置き設置の状態となる。
電子ペン１０は、縦置き設置において、図２（ａ）に示すように、上ケース２に載置され、上ケース２が回転されることでペンケース１に収納される。また、電子ペン１０は、横置き設置において、図２（ｂ）に示すように、下ケース３に載置され、上ケース２が回転されることでペンケース１に収納される。
【００１９】
〔電子ペンの主な構成〕
先ず、電子ペン１０の主な構成について説明する。
電子ペン１０は、図２に示すように、筆記具を模して形状されており、可動部１１、胴体部１２、先端側枠部１３、電源スイッチ１４、および図示しない発光素子、スイッチ機構、受光素子、回路ユニット、電池等を備えている。
【００２０】
可動部１１は、電子ペン１０の一方の端部に設けられ、キャップ１１１およびキャップ保持部材１１２を備えている。
キャップ１１１は、先端に向かう程細くなる略円錐形に形成されており、この先端は、筆記具のペン先に相当する。キャップ保持部材１１２は、キャップ１１１の外面に倣う形状を有し、キャップ１１１は、交換可能となるように螺合等によってキャップ保持部材１１２に取り付けられている。なお、以下では、説明の便宜上、キャップ１１１の先端を「ペン先」、ペン先とは反対側の電子ペン１０の端部を「後端」として記載する。
【００２１】
胴体部１２は、回路ユニット、電池等が収納される部材であり、外径が略均一に形成された円筒状の本体部１２１、および本体部１２１のペン先側に形成され、ペン先側に向かって外径が大きくなる傾斜部１２２を有している。
本体部１２１には、図２に示すように、電池を着脱するための電池蓋１２Ｂが設けられ、電池蓋１２Ｂの後端側には、スライドによって電子ペン１０の電源のオンとオフとを切り替える電源スイッチ１４が設けられている。
【００２２】
先端側枠部１３は、図２に示すように、キャップ保持部材１１２と傾斜部１２２との間に配置される。先端側枠部１３は、キャップ保持部材１１２の外径より大きな外径を有して形成され、傾斜部１２２のペン先側に取り付けられる。
【００２３】
キャップ１１１の内部には、発光素子（図示省略）が配置されており、キャップ１１１は、発光素子から発せられる光（例えば、赤外線）が透過する材料（例えば、赤外線を透過し、可視光をカットする合成樹脂）で形成されている。
キャップ保持部材１１２および先端側枠部１３の内部には、受光素子（図示省略）等が配置されている。そして、キャップ保持部材１１２および先端側枠部１３は、外部（例えば、ペンケース１に収納される他方の電子ペン１０）から発せられ、受光素子が検知可能な光（例えば、赤外線）が透過する材料（例えば、赤外線を透過し、可視光をカットする合成樹脂）で形成されている。
【００２４】
電子ペン１０は、キャップ１１１の先端が投写面に押し当てられることによって可動部１１が傾倒してスイッチ機構の接触状態が切り替わる。そして、回路ユニットは、スイッチ機構の接触状態が切り替わったことを検知して、発光素子を発光させ、発光素子から発せられる光（例えば赤外線）をキャップ１１１から外部に射出する。
【００２５】
図は省略するが、電子ペン１０は、例えば、プロジェクターおよびＰＣ（Personal Computer）と組み合わされることで、プロジェクターにより投影される画像に対して、図形や文字等を重ねて表示できる表示システムを構成する。
【００２６】
このプロジェクターは、例えば、天井や壁等への設置（以下「天吊り設置」という）や、机上等の床に沿った設置（以下「据え置き設置」という）が可能に構成されている。そして、プロジェクターは、壁に沿う投写面やホワイトボード等の投写面に投写したり、床面に沿う投写面に投写したりすることが可能になっている。
電子ペン１０は、これらの投写面で押圧されることにより、例えば赤外線を発する。
【００２７】
そして、プロジェクターは、電子ペン１０から射出された赤外線を検知し、電子ペン１０の移動に伴う赤外線の射出位置の軌跡に関する情報をＰＣに送信する。ＰＣは、受信した情報に基づいて赤外線の射出位置の解析を行い、画像情報にこの射出位置の軌跡を示す線を重畳した重畳画像を生成し、この重畳画像の画像情報をプロジェクターに送信する。プロジェクターは、電子ペン１０の軌跡を示す線が反映されたこの重畳画像をスクリーン等の投写面に投影する。
このように、表示システムは、電子ペン１０の操作によって、天吊り設置や、据え置き設置のプロジェクターから投写された画像に加工を施すことが可能となっている。
【００２８】
〔ペンケースの構成〕
次に、ペンケース１の構成を詳細に説明する。
ペンケース１は、図１に示すように、上ケース２、下ケース３に加え、ヒンジ軸４、滑り止め部材５および磁石６を備えている。
上ケース２および下ケース３は、閉じられた際に略直方体の箱状となり、２つの電子ペン１０が並んで収納されるように形成されている。そして、上ケース２および下ケース３は、図２に示すように、電子ペン１０の延出方向（長手方向）に沿う一方の側面部、つまり２つの電子ペン１０のうち一方の電子ペン１０に近い側の側面部でヒンジ軸４を介して開閉自在に連結される。つまり、上ケース２と下ケース３とは、ヒンジ連結されて開閉自在に構成されている。なお、以下では、説明の便宜上、ペンケース１において、ヒンジ軸４が配置されている側を「ヒンジ側」、ヒンジ側とは反対側を「開閉側」として記載する。また、ヒンジ側の電子ペン１０を１０ａ、開閉側の電子ペン１０を１０ｂとして記載する。
【００２９】
また、ペンケース１は、図２に示すように、後述する突起部２２３，３２３を除いて長手方向において略対称に形成されており、ペン先が長手方向のいずれの場合でも電子ペン１０を収納できるように形成されている。なお、図２では、２つの電子ペン１０は、向きが異なるようにペンケース１に収納されているが、ペンケース１は、２つの電子ペン１０のペン先が同一側となるようにも収納できるように形成されている。
【００３０】
図３は、横置き設置で開かれた状態のペンケース１を示す斜視図である。図４は、電子ペン１０が収納された状態のペンケース１の断面図である。
上ケース２は、合成樹脂で形成され、図３に示すように、上面部２１、および上面部２１の端部から起立する側面部２２を有している。
側面部２２は、ヒンジ側となる側面部２２ａ、側面部２２ａに対向し、開閉側となる側面部２２ｂ、および側面部２２ａ，２２ｂの両側にそれぞれ接続される側面部２２ｃ，２２ｄを有している。
【００３１】
側面部２２ａの端部には、連結部２２１が端部に沿って複数形成されている。連結部２２１は、円筒状に形成されており、中央部には、ヒンジ軸４（図４参照）が挿通される挿通孔が設けられている。
【００３２】
側面部２２ｂの略中央部には、スリットが形成されることによりバネ性を有し、押圧操作によって内側に傾倒可能な可倒部２２２が形成されている。可倒部２２２には、先端部に下ケース３の内面に係合可能な係合部２２２１が設けられ、係合部２２２１より上面部２１側に位置し、外面側に突出する操作部２２２２が形成されている。ペンケース１は、上ケース２の上面部２１が押圧されることによって、係合部２２２１が下ケース３の内面に係合して閉じられた状態が維持される。そして、ペンケース１は、操作部２２２２が押圧されることによって、係合部２２２１の係合が解除されて開閉が可能となる。
【００３３】
側面部２２ｃには、側面部２２ｂ近傍に外面側に突出する突起部２２３が形成されている。この突起部２２３には、金属製のワイヤー等が挿通される挿通孔が形成されている。
【００３４】
上ケース２には、図３に示すように、上面部２１の内面から突出する支持部２３ａ，２３ｂ、および受けリブ２４ａ，２４ｂが形成されている。
支持部２３ａ，２３ｂは、電子ペン１０ａ，１０ｂを支持する機能を有している。支持部２３ａ，２３ｂは、それぞれ一対設けられ、図２（ａ）に示すように、電子ペン１０の本体部１２１を支持するように所定の距離隔てて形成されている。また、支持部２３ａ，２３ｂは、電子ペン１０に当接する側（開閉側）の面が、電子ペン１０ａ，１０ｂを安定して支持し、電子ペン１０ａ，１０ｂに集中荷重が加わらないよう、つまり電子ペン１０ａ，１０ｂに傷等をつけないよう広く形成されている。例えば、支持部２３ａ，２３ｂは、ペンケース１の長手方向における幅ｗが上面部２１の肉厚より大きく形成されている。なお、支持部２３ａ，２３ｂは、ヒンジ側が肉盗みされており（図３参照）、上ケース２の成形時に上面部２１にヒケが生じないよう形成されている。
【００３５】
具体的に、支持部２３ａは、図４に示すように、電子ペン１０ａよりヒンジ側に位置し、先端部には、電子ペン１０ａの本体部１２１の形状に略沿うように形成された凹部２３ａａが形成されている。支持部２３ａは、この凹部２３ａａが本体部１２１に係合し、電子ペン１０ａを支持できるように形成されている。
支持部２３ｂは、図４に示すように、電子ペン１０ｂよりヒンジ側に位置し、先端部には、電子ペン１０ｂの本体部１２１の形状に略沿うように形成された凹部２３ｂａが形成されている。支持部２３ｂは、この凹部２３ｂａが本体部１２１に係合し、電子ペン１０ｂを支持できるように形成されている。
【００３６】
ペンケース１は、前述したように、電子ペン１０が上ケース２または下ケース３のいずれかに載置されても、開閉することができる。そして、ペンケース１は、上ケース２に電子ペン１０が載置された場合、支持部２３ａ，２３ｂが電子ペン１０を支持した状態で開閉され、下ケース３に電子ペン１０が載置された場合、凹部２３ａａ，２３ｂａが電子ペン１０に係合する状態と、係合が解除された状態とが切り替えられて開閉される。この、ペンケース１の開閉動作については、後で詳細に説明する。
【００３７】
受けリブ２４ａ，２４ｂは、図３に示すように、それぞれ一対設けられている。受けリブ２４ａ，２４ｂは、電子ペン１０が上ケース２に載置された際（図２（ａ）参照）に、電子ペン１０の本体部１２１に当接するように所定の距離隔てて形成されており、電子ペン１０をバランスよく支持するように形成されている。
また、受けリブ２４ａ，２４ｂは、ペンケース１が閉じられた際に本体部１２１に当接し、電子ペン１０のキャップ保持部材１１２および先端側枠部１３（図２参照）が上面部２１の内面に接触して傷等が生じないように設定されている。
【００３８】
具体的に、受けリブ２４ａは、図４に示すように、支持部２３ａと支持部２３ｂとの間に設けられ、電子ペン１０ａの本体部１２１に当接可能に形成されている。受けリブ２４ｂは、支持部２３ｂと側面部２２ｂとの間に設けられ、電子ペン１０ｂの本体部１２１に当接可能に形成され、開閉側は、側面部２２ｂに接続している。
【００３９】
下ケース３は、合成樹脂で形成され、図３に示すように、下面部３１、および下面部３１の端部から起立する側面部３２を有している。
側面部３２は、ヒンジ側となる側面部３２ａ、側面部３２ａに対向し、開閉側となる側面部３２ｂ、および側面部３２ａ，３２ｂの両側にそれぞれ接続される側面部３２ｃ，３２ｄを有している。
【００４０】
側面部３２ａの端部には、上ケース２の複数の連結部２２１の間に設けられた連結部３２１が複数形成されている。連結部３２１は、連結部２２１と同様に、円筒状に形成されており、中央部には、ヒンジ軸４（図４参照）が挿通される挿通孔が設けられている。上ケース２および下ケース３は、連結部２２１，３２１の挿通孔にヒンジ軸４が挿通され、回転可能にヒンジ連結される。
【００４１】
ヒンジ軸４は、金属で形成され、中央部には、図４に示すように、直径が両側の直径より小さな小径部４１が設けられている。
そして、複数の連結部３２１のうち、略中央に位置する連結部３２１には、図３、図４に示すように、バネ性を有し、小径部４１に当接するストッパー３２１１が設けられている。ヒンジ軸４は、このストッパー３２１１が小径部４１の両側に形成される段差部に当接することで連結部２２１，３２１の挿通孔から抜けることが防止される。また、このストッパー３２１１がピンセット等の工具を用いて小径部４１から離間されることで、ヒンジ軸４は、連結部２２１，３２１の挿通孔からの抜き取りが可能となる。
【００４２】
側面部３２ｂの内面には、図４に示すように、上ケース２の係合部２２２１が係合される凹部３２２が形成されている。
【００４３】
側面部３２ｃには、図３に示すように、側面部３２ｂ近傍に外面側に突出する突起部３２３が形成されている。突起部３２３は、ペンケース１が閉じられた際に、上ケース２の突起部２２３と重なるように形成され、突起部２２３の挿通孔と略合致する挿通孔が設けられている。そして、ペンケース１は、閉じられた際に突起部２２３および突起部３２３の挿通孔にワイヤー等が挿通され、盗難防止が図られている。
【００４４】
下ケース３には、図３に示すように、下面部３１の内面から突出する第１規制部３３ａ，３３ｂ、および第２規制部３４ａ，３４ｂが形成されている。
第１規制部３３ａ，３３ｂは、図３に示すように、それぞれ一対設けられ、電子ペン１０のヒンジ側への移動を規制する機能を有している。第１規制部３３ａ，３３ｂは、電子ペン１０が下ケース３に載置された際（図２（ｂ）参照）に、電子ペン１０の本体部１２１に当接するように所定の距離隔てて形成されており、電子ペン１０をバランスよく支持するように形成されている。
【００４５】
具体的に、第１規制部３３ａは、図４に示すように、上ケース２の受けリブ２４ａに対向する位置に形成され、下面部３１の内面に略沿う端面３３ａａを有する部位と、端面３３ａａ対して鈍角となる傾斜面３３ａｂを有し、側面部３２ａに接続される部位とを有して形成されている。第１規制部３３ａは、傾斜面３３ａｂで電子ペン１０ａのヒンジ側への移動を規制する。
【００４６】
第１規制部３３ｂは、図４に示すように、上ケース２の受けリブ２４ｂに対向する位置に形成され、下面部３１の内面に略沿う端面３３ｂａを有する部位と、端面３３ｂａ対して鈍角となる傾斜面３３ｂｂを有し、ヒンジ側に延出する部位とを有して形成されている。第１規制部３３ｂは、傾斜面３３ｂｂで電子ペン１０ｂのヒンジ側への移動を規制する。
【００４７】
第２規制部３４ａ，３４ｂは、図３に示すように、それぞれ一対設けられ、電子ペン１０の開閉側への移動を規制するとともに、下ケース３に配置された電子ペン１０に支持部２３ａ，２３ｂが係合する際に、電子ペン１０を案内する機能を有している。
【００４８】
具体的に、第２規制部３４ａは、図４に示すように、第１規制部３３ａと第１規制部３３ｂとの間に設けられ、図４の図面視において、上側が鋭角となる三角形状に形成されている。第２規制部３４ａのヒンジ側は、第１規制部３３ａの端面３３ａａと鈍角となる案内面３４ａａを有して形成されている。
第２規制部３４ｂは、図４に示すように、第１規制部３３ｂと側面部３２ｂとの間に設けられ、図４の図面視において、上側が鋭角となる三角形状に形成されている。第２規制部３４ｂのヒンジ側は、第１規制部３３ｂの端面３３ｂａと鈍角となる案内面３４ｂａを有して形成されている。
【００４９】
下面部３１の内面には、図３に示すように、一対の第２規制部３４ａ，３４ｂの外側に一対の凹部３２４が形成されている。凹部３２４は、電子ペン１０が下ケース３に載置された際、つまり、本体部１２１が第１規制部３３ａ，３３ｂに支持された際に、キャップ保持部材１１２および先端側枠部１３から離間するように設定されている。
【００５０】
凹部３２４には、さらに平面視円形の窪み３２４１が形成され、窪み３２４１の中央部には、丸孔３２４１ｈが形成されている。ペンケース１は、この丸孔３２４１ｈにネジが挿通されて壁や、床面に沿う方向の部材等に固定される。
【００５１】
また、一対の凹部３２４には、リブ３２５ａ，３２５ｂがそれぞれ形成されている。リブ３２５ａ，３２５ｂは、下ケース３に配置された電子ペン１０ａ，１０ｂの傾斜部１２２に対応する位置に設けられている。
リブ３２５ａ，３２５ｂは、ペンケース１に収納された電子ペン１０が傾いた際に、傾斜部１２２が当接し、キャップ保持部材１１２および先端側枠部１３が下ケース３に接触しないように形成されている。このように、凹部３２４およびリブ３２５ａ，３２５ｂは、電子ペン１０がペンケース１に収納された際に、キャップ保持部材１１２および先端側枠部１３が下ケース３に接触して傷等が生じないように形成されている。
【００５２】
磁石６は、図１（ｂ）に示すように、下ケース３の下面部３１の外面に配置されている。ペンケース１は、この磁石６の磁力によって金属を備えるホワイトボード等への設置が可能に構成されている。磁石６は、図１（ｂ）に示すように、平面視円形に形成され、ペンケース１の長手方向における両端の短手方向における略中央部にそれぞれ設けられている。
【００５３】
滑り止め部材５は、シリコン等のゴム部材で形成され、図１（ｂ）に示すように、平面視円形に形成され、下面部３１の外面の四隅、つまり各磁石６の両側に配置されている。滑り止め部材５は、ペンケース１が磁石６の磁力によって、ホワイトボート等に設置された際に、ペンケース１および電子ペン１０の自重によるペンケース１の滑りを防止する機能を有している。
【００５４】
磁石６および滑り止め部材５は、ペンケース１の長手方向および短手方向において、略対称に配置され、一対の磁石６の磁力がホワイトボード等に略均等に加わるように構成されている。
【００５５】
〔ペンケースの開閉動作〕
ここで、ペンケース１の開閉動作について説明する。
先ず、縦置き設置におけるペンケース１の開閉動作について説明する。
図５は、縦置き設置における開放状態のペンケース１を示す断面図である。
ペンケース１は、図５に示すように、丸孔３２４１ｈ（図３参照）にネジが挿通されて壁等に設置されたり、下ケース３に配置された磁石６の磁力によって、ホワイトボード等に設置されたりすることにより縦置き設置となる。
【００５６】
電子ペン１０は、縦置き設置のペンケース１に収納される際、図５に示すように、上ケース２の受けリブ２４ａ，２４ｂ上に載置される。そして、受けリブ２４ａ上に載置された電子ペン１０ａのヒンジ側には、支持部２３ａが位置し、受けリブ２４ｂ上に載置された電子ペン１０ｂのヒンジ側には、支持部２３ｂが位置する。
【００５７】
そして、上ケース２は、開放状態から可倒部２２２側が持ち上げられると、ヒンジ軸４を中心に閉じられる方向に回転する（図５における反時計回り）。上ケース２が回転すると、受けリブ２４ａ上に載置されている電子ペン１０ａは、自重により支持部２３ａ側に移動し、凹部２３ａａに係合することとなる。また、受けリブ２４ｂ上に載置されている電子ペン１０ｂは、自重により支持部２３ｂ側に移動し、凹部２３ｂａに係合することとなる。そして、電子ペン１０ａ，１０ｂは、支持部２３ａ，２３ｂに支持された状態で上ケース２と共に回転する。
【００５８】
そして、係合部２２２１が凹部３２２に係合する位置まで回転されると、ペンケース１は、閉じられた状態（姿勢は異なるが、図４に示す状態）となり、電子ペン１０ａ，１０ｂは、ペンケース１に収納される。このように、支持部２３ａ，２３ｂは、上ケース２に電子ペン１０ａ，１０ｂを載置した閉動作時において、電子ペン１０ａ，１０ｂを支持する。
【００５９】
電子ペン１０ａは、ペンケース１に収納された状態で、図４に示すように、本体部１２１が受けリブ２４ａ、支持部２３ａ、第１規制部３３ａおよび第２規制部３４ａに囲まれて位置が略決められた状態となる。同様に、電子ペン１０ｂは、ペンケース１に収納された状態で、本体部１２１が受けリブ２４ｂ、支持部２３ｂ、第１規制部３３ｂ、および第２規制部３４ｂに囲まれて位置が略決められた状態となる。
【００６０】
一方、縦置き設置において、上ケース２は、閉じられた状態から操作部２２２２が押圧されると、係合部２２２１と凹部３２２との係合が解除され、開かれる方向への回転が可能となる。そして、上ケース２が回転されると、電子ペン１０ａ，１０ｂは、支持部２３ａ，２３ｂに支持された状態で上ケース２と共に図５における時計回りに回転する。そして、上ケース２は、所定の位置まで回転されると、上ケース２に設けられた凸部（図示省略）が下ケース３に当接して回転が規制される。そして、ペンケース１は、図５に示すように、開放状態となり、電子ペン１０ａ，１０ｂの取出しが可能な状態となる。
このように、ペンケース１は、縦置き設置において、支持部２３ａ，２３ｂが電子ペン１０を支持して開閉される。
【００６１】
次に、横置き設置におけるペンケース１の開閉動作について説明する。
図６〜図８は、横置き設置におけるペンケース１の開閉動作を説明する断面図である。具体的に、図６は、横置き設置における開放状態のペンケース１を示す断面図、図７、図８は、開放状態から徐々に閉じられる状態を段階的に説明するペンケース１の断面図である。
【００６２】
ペンケース１は、図６に示すように、丸孔３２４１ｈ（図３参照）に挿通されたネジや、下ケース３に配置された磁石６の磁力によって、床面に沿う方向の面に固定されて設置されたり、この面に載置されたりすることにより横置き設置となる。
【００６３】
電子ペン１０は、横置き設置のペンケース１に収納される際、図６に示すように、第１規制部３３ａ，３３ｂ上に載置される。電子ペン１０は、第１規制部３３ａ，３３ｂ上に載置された状態において、傾斜面３３ａｂ，３３ｂｂによってヒンジ側への移動が規制されている。そして、上ケース２は、可倒部２２２側が押下げられると、ヒンジ軸４を中心に閉じられる方向に回転する（図６における反時計回り）。
【００６４】
開放状態から上ケース２が閉じられる方向に回転していくと、図７（ａ）に示すように、先ず支持部２３ａの先端が第１規制部３３ａ上に載置されている電子ペン１０ａに当接する。支持部２３ａは、電子ペン１０ａが傾斜面３３ａｂによってヒンジ側への移動が規制されているので、電子ペン１０ａをヒンジ側から第２規制部３４ａ側に押圧することとなる。
【００６５】
支持部２３ａが当接した電子ペン１０ａは、支持部２３ａに押されて開閉側に移動し、第２規制部３４ａの案内面３４ａａに当接する（図７（ａ）において２点鎖線で示す）。
電子ペン１０ａが案内面３４ａａに当接した状態で、電子ペン１０ａには、図７（ａ）に示すように、上ケース２の回転により支持部２３ａから押圧力Ｆａが加わる。
【００６６】
案内面３４ａａは、図７（ａ）に示すように、押圧力Ｆａの方向に対する上側（第２規制部３４ａの先端側）の角度θａが鈍角となるように形成されているので、電子ペン１０ａは、図７（ｂ）に示すように、案内面３４ａａに沿って上方に移動する。そして、支持部２３ａは、上ケース２の回転に伴って、先端が徐々に電子ペン１０ａと側面部３２ａとの間に挿入されるように移動する。
【００６７】
さらに上ケース２が回転されると、図８（ａ）に示すように、支持部２３ｂの先端が第１規制部３３ｂ上に載置されている電子ペン１０ｂに当接する。支持部２３ｂは、電子ペン１０ｂが傾斜面３３ｂｂによってヒンジ側への移動が規制されているので、支持部２３ａと同様に、電子ペン１０ｂをヒンジ側から第２規制部３４ｂ側に押圧することとなる。
支持部２３ｂが当接した電子ペン１０ｂは、支持部２３ｂに押されて開閉側に移動し、第２規制部３４ｂの案内面３４ｂａに当接する（図８（ａ）において２点鎖線で示す）。
【００６８】
電子ペン１０ｂが案内面３４ｂａに当接した状態で、図８（ａ）に示すように、電子ペン１０ｂには、上ケース２の回転によりに支持部２３ｂから押圧力Ｆｂが加わる。
案内面３４ｂａは、図８（ａ）に示すように、押圧力Ｆｂの方向に対する上側（第２規制部３４ｂの先端側）の角度θｂが鈍角となるように形成されているので、電子ペン１０ｂは、案内面３４ｂａに沿って上方に移動する。そして、支持部２３ｂは、図８（ｂ）に示すように、上ケース２の回転に伴って、先端が徐々に電子ペン１０ｂと第２規制部３４ａとの間に挿入されるように移動する。
【００６９】
電子ペン１０ａは、支持部２３ａからの押圧力Ｆａが開放される位置まで上方に移動し、支持部２３ａは、凹部２３ａａ（図４参照）が電子ペン１０ａと側面部３２ａとの間に位置するように移動する。そして、押圧力Ｆａが開放された電子ペン１０ａは、自重により案内面３４ａａに沿って下方に移動し凹部２３ａａに係合する。同様に、支持部２３ｂからの押圧力Ｆｂが開放される位置まで上方に移動した電子ペン１０ｂは、自重により案内面３４ｂａに沿って下方に移動し凹部２３ｂａ（図４参照）に係合する。このように、支持部２３ａ，２３ｂは、電子ペン１０ａ，１０ｂを下ケース３に載置した上ケース２の閉動作時において、上ケース２の回転により、電子ペン１０ａ，１０ｂと係合する。
そして、図４に示すように、係合部２２２１が凹部３２２に係合する位置まで回転されると、ペンケース１は、閉じられた状態となり、電子ペン１０ａ，１０ｂは、ペンケース１に収納される。
【００７０】
一方、上ケース２は、縦置き設置と同様に、横置き設置においても、操作部２２２２が押圧されると、開かれる方向への回転が可能となる。そして、支持部２３ｂは、上ケース２の回転に伴って、電子ペン１０ｂを案内面３４ｂａに沿って移動させながら、電子ペン１０ｂと第２規制部３４ａとの間から抜出される。支持部２３ａは、支持部２３ｂと同様に、上ケース２の回転に伴って、電子ペン１０ａを案内面３４ａａに沿って移動させながら、電子ペン１０ａと側面部３２ａとの間から抜出される。
【００７１】
電子ペン１０ａ，１０ｂは、支持部２３ａ，２３ｂが抜出されると、自重により案内面３４ａａ，３４ｂａに沿って移動し、図６に示すように、第１規制部３３ａ，３３ｂ上に載置された状態となり、電子ペン１０ａ，１０ｂの取出しが可能となる。
【００７２】
このように、案内面３４ａａ，３４ｂａは、支持部２３ａ，２３ｂに押圧された電子ペン１０の移動を案内する。そして、ペンケース１は、横置き設置において、下ケース３に配置された電子ペン１０に対し、上ケース２の閉じられる方向への回転により支持部２３ａ，２３ｂが係合し、上ケース２の開かれる方向への回転により係合が解除されて開閉される。
【００７３】
また、ペンケース１は、縦置き設置、横置き設置以外の姿勢においても、電子ペン１０が上ケース２または下ケース３に載置された状態での開閉が可能となる。すなわち、ペンケース１は、使用者が把持し、姿勢が定まらない状態でも、電子ペン１０を載置しての開閉が可能となる。
【００７４】
以上説明したように、本実施形態のペンケース１によれば、以下の効果を得ることができる。
（１）ペンケース１は、縦置き設置および横置き設置できるように構成され、上ケース２または下ケース３のどちらに電子ペン１０が配置されても、開閉が可能で、電子ペン１０を略位置決めしての収納が可能に構成されている。
これによって、電子ペン１０の紛失や損傷を抑制すると共に、電子ペン１０の使用シーンに応じて電子ペン１０を収納できるペンケース１の提供が可能となる。
例えば、電子ペン１０を用いてプロジェクターが投写する画像に処理を施すことが可能なシステムにおいて、投写面や投写面に近い位置にペンケース１を配置して、プレゼンテーション等を途切れさせることなく、電子ペン１０の迅速な使用および収納が可能となる。具体的に、プロジェクターが壁に沿う投写面やホワイトボード等に投写する場合、この壁やホワイトボードにペンケース１を縦置き設置したり、投写面に近い机上等に横置き設置したりすることで、電子ペン１０の迅速な使用および収納が可能となる。また、プロジェクターが机上等に設けられた投写面に投写する場合、この机上等にペンケース１を横置き設置することで、同様の効果を奏する。また、ペンケース１は、縦置き設置、横置き設置以外の姿勢が定まらない状態においても、電子ペン１０を位置決めして収納することが可能に構成されている。
したがって、電子ペン１０の紛失や損傷を抑制すると共に、利便性を高めて電子ペン１０を使用するためのペンケース１が可能となる。
【００７５】
（２）ペンケース１は、２つの電子ペン１０ａ，１０ｂをそれぞれ略位置決めして収納できるように構成されているので、電子ペン１０ａ，１０ｂは、ペンケース１に収納された状態で互いに衝突することが防止され、持ち運ばれる際の損傷も抑制される。
【００７６】
（３）下ケース３には、第１規制部３３ａ，３３ｂおよび第２規制部３４ａ，３４ｂが設けられているので、下ケース３に載置された電子ペン１０ａ，１０ｂに支持部２３ａ，２３ｂを容易に係合させることが可能となる。そして、支持部２３ａ，２３ｂは、上ケース２に形成され、第１規制部３３ａ，３３ｂおよび第２規制部３４ａ，３４ｂは、下ケース３に形成されている。
これによって、部品点数の増加を抑制して簡素な構成で、支持部２３ａ，２３ｂが下ケース３に載置された電子ペン１０に係合する構造を提供できる。したがって、ペンケース１の製造の簡素化や低コスト化、アフターサービスパーツの在庫管理の簡素化等が図れる。
【００７７】
（４）第２規制部３４ａ，３４ｂには、案内面３４ａａ，３４ｂａが設けられているので、上ケース２の開閉によって、下ケース３に載置された電子ペン１０ａ，１０ｂに、支持部２３ａ，２３ｂが係合する状態と、その係合が解除される状態とを滑らかに切り替えることが可能となる。
【００７８】
（５）ペンケース１は、電子ペン１０が収納された際にキャップ保持部材１１２および先端側枠部１３が接触しないように構成されているので、キャップ保持部材１１２および先端側枠部１３は、損傷が抑制される。これによって、キャップ保持部材１１２および先端側枠部１３は、内部に配置された受光素子が受光する光を長期に亘って安定して透過することが可能となる。よって、電子ペン１０の長寿命化が図れる。
【００７９】
（６）磁石６および滑り止め部材５は、ペンケース１の長手方向および短手方向において、略対称に配置され、一対の磁石６の磁力がホワイトボード等に略均等に加わるように構成されている。これによって、ペンケース１は、電子ペン１０が収納される際や、取り出される際にも安定してホワイトボード等に設置された状態が維持される。
【００８０】
なお、前記実施形態は、以下のように変更してもよい。
支持部２３ａ，２３ｂが弾性を有するように構成してもよい。これによって、上ケース２の開閉によって下ケース３に配置された電子ペン１０への係合とその解除とを切り替える構成を容易に設定することが可能となる。つまり、ペンケース１を構成する部材の寸法バラツキや、組立によるバラツキが生じても、支持部２３ａ，２３ｂが有する弾性によってそのバラツキを吸収できるので、安定して電子ペン１０への係合とその解除とを切り替えることが可能となる。
【００８１】
案内面３４ａａ，３４ｂａの角度や位置が変更可能となるように、第２規制部３４ａ，３４ｂを可動部材とし、この第２規制部３４ａ，３４ｂを付勢部材で付勢するように構成してもよい。そして、支持部２３ａ，２３ｂからの押圧力Ｆａ，Ｆｂで第２規制部３４ａ，３４ｂが可動することにより電子ペン１０が移動して支持部２３ａ，２３ｂが電子ペン１０に係合する状態と、係合が解除された状態とが切り替えられるように構成してもよい。
【００８２】
床や机上等にプロジェクターを設置できる設置治具を設け、この設置治具にペンケース１を縦置き設置や横置き設置で固定するように構成してもよい。これによって、近接投写が可能なプロジェクターにおいて、投写面およびプロジェクター近傍にペンケース１を配置することが可能となり、さらに利便性の向上が図れる。
【００８３】
本実施形態のペンケース１を電子ペン１０以外の操作ペン、例えば、表示装置の表示面にタッチすることにより情報を入力するタッチペン等を収納するペンケースにも適用することができる。
【符号の説明】
【００８４】
１…ペンケース、２…上ケース、３…下ケース、４…ヒンジ軸、５…滑り止め部材、６…磁石、１０，１０ａ，１０ｂ…電子ペン、２３ａ，２３ｂ…支持部、２３ａａ，２３ｂａ…凹部、２４ａ，２４ｂ…受けリブ、３３ａ，３３ｂ…第１規制部、３３ａｂ，３３ｂｂ…傾斜面、３４ａ，３４ｂ…第２規制部、３４ａａ，３４ｂａ…案内面、１１１…キャップ、１１２…キャップ保持部材、１２１…本体部、２２１，３２１…連結部、３２４…凹部、３２５ａ，３２５ｂ…リブ、３２４１ｈ…丸孔。
【図１】
2013109562.tif 000003
【図２】
2013109562.tif 000004
【図３】
2013109562.tif 000005
【図４】
2013109562.tif 000006
【図５】
2013109562.tif 000007
【図６】
2013109562.tif 000008
【図７】
2013109562.tif 000009
【図８】
2013109562.tif 000010